(57)【特許請求の範囲】
【請求項１】
複数の端子が並列して配置される端子台と、複数の端子を覆うように端子台に配置される端子カバーと、端子台に端子カバーを締結して固定する締結部材とを備えた端子台の端子カバーの取付構造において、
前記締結部材は、基端部側に形成され、端子台に螺合する雄ねじ部と、先端部に形成される、雄ねじ部よりも大径の摘み部と、該摘み部の基端部から所定の間隔をおいた位置に径外方向に突設される、摘み部よりも大径の凸部と、摘み部および凸部の間に形成される、摘み部よりも小径の引掛部とで構成され、
前記端子カバーは、前記摘み部が後側から前側に向かって挿通される挿通孔と、該挿通孔の上側に連設するように、該上側の円弧状部を切り欠いて形成され、前記引掛部に上側から掛止する掛止孔とで構成される連通孔とを備え、
さらに、前記端子カバーは、該端子カバーの裏面に固着される絶縁性のシートであって、前記挿通孔に対応する位置に、十字状の第１切り込み線が上下左右方向に切り込まれて形成される第１切り込み部を有するシートを備えることを特徴とする端子台の端子カバーの取付構造。
【請求項２】
前記掛止孔に対応する前記シートの位置に、直線状の第２切り込み線が上下方向に切り込まれて第２切り込み部が形成され、該第２切り込み線が、前記十字状の第１切り込み線のうち、上下方向の第１切り込み線に繋がることを特徴とする請求項１に記載の端子台の端子カバーの取付構造。
【請求項３】
前記摘み部は、封印紐状部材の通し孔が形成されるとともに、前記端子カバーは、封印紐状部材の通しリングが形成されることを特徴とする請求項１又は２に記載の端子台の端子カバーの取付構造。
【請求項４】
前記端子台は、単相２線式の電力量計、単相３線式の電力量計および三相３線式の電力量計に垂設される端子台であり、前記連通孔は、単相２線式の電力量計の場合、前記端子カバーの中央部に一つ、単相３線式の電力量計および三相３線式の電力量計の場合、前記端子カバーの両側部に形成されることを特徴とする請求項１乃至３のいずれか１項に記載の端子台の端子カバーの取付構造。
【発明の詳細な説明】
【技術分野】
【０００１】
本発明は、例えば、電力量計の端子台に配置される複数の端子を覆う端子台の端子カバーの取付構造に関する。
【背景技術】
【０００２】
従来より、長期間脱着していない電力量計の端子カバーを取り外す際、端子カバーの裏面のゴム製の絶縁シートが経年劣化によって端子台に張り付いてしまって、端子カバーのねじを緩めても、端子カバーが端子台から取り外れない場合がある。この場合、端子台の張り付いた端子カバーを取り外す手段としては、ドライバーなどの工具の先端を、端子台と端子カバーとの間に差し込んで、端子台から端子カバーを引き離すようにこじ開けている。
【０００３】
また、従来の電力量計の端子台の端子カバーの取付構造としては、例えば、端子台に端子カバーを取り付けるためのねじが、端子カバーから外れないように、端子カバーにねじを保持するようにしたものが知られている（特許文献１）。
【先行技術文献】
【特許文献】
【０００４】
【特許文献１】特開２０１０−０９６６９３号公報
【発明の概要】
【発明が解決しようとする課題】
【０００５】
従来のように、工具を用いて、端子カバーをこじ開ける場合、端子カバーが損傷しないように、かつ、工具の先端が端子に触れないように心配りする必要がある。また、緩めた端子カバーのねじが端子に接触することも考えられるため、作業性がよくない。
【０００６】
また、前記公報の端子台の端子カバー取付構造の場合、緩めたねじが端子カバーに保持されるように構成されていることから、端子に対するねじの接触は回避できるものの、端子台の裏面に固着されたシートが端子台に張り付くことは解消できないため、工具の使用による端子への接触は回避できないという問題が残る。
【０００７】
そこで、本発明は、前記問題を鑑み、緩めた端子カバーのねじによる端子への接触を防止できることに加えて、工具を用いることなく、端子台に対する端子カバーの着脱を容易にかつ安全に行うことができる端子台の端子カバー取付構造を提供することを課題とする。
【課題を解決するための手段】
【０００８】
本発明に係る端子台の端子カバー取付構造は、複数の端子が並列して配置される端子台と、複数の端子を覆うように端子台に配置される端子カバーと、端子台に端子カバーを締結して固定する締結部材とを備えた端子台の端子カバーの取付構造において、前記締結部材は、基端部側に形成され、端子台に螺合する雄ねじ部と、先端部に形成される、雄ねじ部よりも大径の摘み部と、該摘み部の基端部から所定の間隔をおいた位置に径外方向に突設される、摘み部よりも大径の凸部と、摘み部および凸部の間に形成される、摘み部よりも小径の引掛部とで構成され、前記端子カバーは、前記摘み部が後側から前側に向かって挿通される挿通孔と、該挿通孔の上側に連設するように、該上側の円弧状部を切り欠いて形成され、前記引掛部に上側から掛止する掛止孔とで構成される連通孔とを備え、さらに、前記端子カバーは、該端子カバーの裏面に固着される絶縁性のシートであって、前記挿通孔に対応する位置に、十字状の第１切り込み線が上下左右方向に切り込まれて形成される第１切り込み部を有するシートを備えることを特徴とする。
【０００９】
かかる構成によれば、端子カバーを端子台から取り外す場合、端子カバーの掛止孔が、締結部材の引掛部に上側から掛止されている。この状態において、締結部材の雄ねじ部を緩めることにより、連通孔の掛止孔の開口周縁部の裏面に、締結部材の凸部が当接する。そして、締結部材の雄ねじ部をさらに緩めると、締結部材の雄ねじ部の移動に伴って、端子カバーが締結部材の凸部に押されて、端子台から端子カバーが引き離される。この状態で、挿通孔から締結部材の摘み部が抜けるように、端子カバーを少し上に持ち上げて、締結部材の引掛部の掛止孔を離脱させるとともに、挿通孔に締結部材の摘み部を位置させて、端子カバーを手前に引き出す。したがって、端子カバーを端子台から取り外すに際して、ドライバーなどの工具を用いることなく、容易に取り外すことができる。また、締結部材の雄ねじ部を緩めるだけなので、締結部材が端子台から取り外されることはなく、締結部材が端子に接触することはない。
【００１０】
また、端子台に端子カバーを取り付ける場合、締結部材の摘み部が、端子カバーの挿通孔に対して後側から前側に挿通されるように、端子カバーを端子台側に移動させる。そして、端子カバーの挿通孔から締結部材の摘み部が突出した位置（締結部材の凸部が端子カバーの後方に位置した位置）で、端子カバーを少し下降させて、端子カバーの掛止孔の内周面を、締結部材の引掛部の上側の外周面に掛止させる。そうすることで、端子カバーが固定される。したがって、端子カバーを端子台に取り付けるに際して、ドライバーなどの工具を用いることなく、簡単に取り付けることができる。
また、端子カバーの裏面に絶縁性のシートが固着されていたとしても、十字状の第１切り込み線によって形成される第１切り込み部によって、締結部材の摘み部がシートを突き破ることができ、締結部材の摘み部に対する端子カバーの挿通孔の前後方向の挿脱が容易に行われる。
【００１１】
なお、端子カバーは、端子台の複数の端子を覆うように、端子台に配置されることが前提の条件となっている。また、端子カバーの挿通孔に締結部材の摘み部が挿通された状態から、端子カバーの掛止孔に締結部材の摘み部が掛止された状態にする際の、端子カバーの下降距離は、ごくわずかである。このため、端子カバーの挿通孔に締結部材の摘み部が挿通された状態、および、端子カバーの掛止孔に締結部材の引掛部が掛止された状態のいずれにおいても、端子カバーによって、端子台の複数の端子が覆われて保護されるようになっている。したがって、端子カバーによる移動によって、端子が外部に露出することはなく、安全性は確保されている。
【００１４】
また、本発明によれば、前記掛止孔に対応する前記シートの位置に、直線状の第２切り込み線が上下方向に切り込まれて第２切り込み部が形成され、該第２切り込み線が、前記十字状の第１切り込み線のうち、上下方向の第１切り込み線に繋がることが好ましい。
【００１５】
この場合、端子カバーの裏面に絶縁性のシートが固着されていたとしても、上下方向に切り込まれた第２切り込み部の直線状の第２切り込み線が、第１切り込み部の上下方向の第１切り込み線に繋がっているので、締結部材の摘み部が、第１切り込み部の上下方向の第１切り込み線から第２切り込み部の直線状の第２切り込み線を通って移動できるようになるので、締結部材の摘み部に対する端子カバーの掛止孔の上下方向の掛脱が容易に行われる。
【００１６】
また、本発明によれば、前記摘み部は、封印紐状部材の通し孔が形成されるとともに、前記端子カバーは、封印紐状部材の通しリングが形成されるような構成を採用することもできる。
【００１７】
かかる構成によれば、締結部材の摘み部の通し孔と、端子カバーの通しリングとに封印紐状部材が挿通されることで、締結部材を緩める操作ができなくなり、端子カバーが端子台から容易に取り外すことができなくなる。したがって、端子台の複数の端子を保護する上での安全性がより一層確保されることになる。
【００１８】
また、本発明によれば、前記端子台は、単相２線式の電力量計、単相３線式の電力量計および三相３線式の電力量計に垂設される端子台であり、前記連通孔は、単相２線式の電力量計の場合、前記端子カバーの中央部に一つ、単相３線式の電力量計および三相３線式の電力量計の場合、前記端子カバーの両側部に形成されるような構成を採用することもできる。
【００１９】
かかる構成によれば、電力量計の種類によって端子台の幅寸法の異なる場合であっても、端子カバーを容易に着脱できる。すなわち、本発明の端子台の端子カバーの取付構造は、電力量計に好適である。
【発明の効果】
【００２０】
本発明によれば、緩めた端子カバーのねじによる端子への接触を防止できることに加えて、工具を用いることなく、端子台に対する端子カバーの着脱を容易にかつ安全に行うことができる。
【図面の簡単な説明】
【００２１】
【図１】本発明の一実施形態に係る電力量計を示す正面図。
【図２】同実施形態に係る、端子カバーが取り外された電力量計の端子台を示す拡大正面図。
【図３】同実施形態に係る電力量計の端子カバーにおける連通孔の掛止孔に、締結部材の凸部が掛止し、電力量計の端子カバーと、締結部材とを封印紐状部材によって封印した状態を示す拡大正面図。
【図４】同実施形態に係る電力量計の端子カバーにおける連通孔の拡大図。
【図５】同実施形態に係る電力量計の端子台と端子カバーとを締結する締結部材を示す図。
【図６】同実施形態に係る電力量計の端子台、締結部材、端子カバーの分解斜視。
【図７】（ａ）は、端子カバーにおける連通孔の掛止孔に、締結部材の凸部が掛止する状態を示す図、（ｂ）は、締結部材を緩めるに伴って、端子カバーが端子台から引き離される状態を示す図、（ｃ）は、連通孔の掛止孔から締結部材の摘み部を離脱させて、端子カバーを取り外す状態を示す図。
【図８】他の実施形態に係る電力量計の端子台に端子カバーを取り付ける状態を示す斜視図。
【発明を実施するための形態】
【００２２】
本発明に係る端子台の端子カバー取付構造の一実施形態について、図１〜図７を参照して説明する。なお、本実施形態においては、電力量計に垂設される端子台の端子カバー取付構造を例にとって説明する。また、電力量計の種類としては、単相２線式、単相３線式、三相３線式があるが、本実施形態においては、単相３線式の電力量計（三相３線式の電力量計）を例にとって説明する。
【００２３】
本実施形態に係る電力量計１は、図１に示すように、略直方体形状の透明樹脂製の筐体２と、該筺体２に収容された電力量計本体３と、筺体２の底面の奥側の外縁に垂設された端子台４と、筺体２の底面および端子台４を覆う端子カバー５とを備えている。
【００２４】
筺体２は、筺体２の縦寸法よりも長い略矩形状の背板（図示せず）に取り付けられている。また、筺体２の正面の上部に、計量値が表示される。
【００２５】
電力量計本体３は、図示していないが、電圧および電流を計測する電圧・電流計測手段と、該電圧値および電流値に基づく計量値、具体的には、現在計測されている現在計量値および所定の日時に確定される計量確定値を表示する表示部と、該表示部を制御して前記計量値を表示させるＣＰＵ（Central Processing Unit）（制御手段）と、外部からの指令を前記ＣＰＵに供給する指令供給手段とを備えている。
【００２６】
端子台４は、商用電源と負荷装置との間の電線の途中に、上述した電力量計本体３が挿入されるように、入力電線（電源側の電線）および出力電線（負荷側の電線）が接続されている。また、端子台４には、一対の締結部材６，６によって端子カバー５が取り付けられている。そして、端子台４から端子カバー５を取り外すと、図２に示すように、端子台４の左右の両側部には、後述する締結部材６の雄ねじ部６０が螺合するねじ孔４１，４１が形成されている。
【００２７】
また、端子台４から端子カバー５を取り外すと、図２に示すように、端子台４に配置された充電部の端子４０，…が露出した状態となる。充電部の端子４０，…として、商用電源からの入力電線を、電力量計本体３に接続する入力端子と、負荷装置への出力電線を、電力量計本体に接続する出力端子とがある。
【００２８】
端子カバー５は、図６に示すように、正面が左右方向に細長い矩形状の基板５ａと、該基板の両端部から互いに同じ向きに折り曲げられた折曲片５ｂ，５ｂを有している。そして、基板５ａの左右の両側部には、図３および図４に示すように、締結部材６が挿脱かつ掛脱される一対の連通孔（所謂だるま孔）５０，５０が形成されている。該連通孔５０は、後述する締結部材６の摘み部６１が後側から前側に向かって挿通される挿通孔５０ａと、挿通孔５０ａの上側に連設するように、該上側の円弧状部を切り欠いて形成され、締結部材６の引掛部に上側から掛止する掛止孔５０ｂとで構成されている。
【００２９】
締結部材６は、図５に示すように、基端部側に形成され、端子台４のねじ孔４１，４１に螺合する雄ねじ部６０と、先端部に形成される、雄ねじ部６０よりも大径の摘み部６１と、該摘み部６１の基端部から所定の間隔をおいた位置に径外方向に突設される摘み部よりも大径の凸部６２と、摘み部６１および凸部６２の間に形成される、摘み部６１よりも小径の引掛部６３とで構成されている。
【００３０】
また、締結部材６の摘み部６１は、端子カバー５における連通孔５０の挿通孔５０ａに挿脱でき、かつ、連通孔５０の掛止孔５０ｂに掛脱できる円柱状になっている。また、摘み部６１は、端子カバー５の挿通孔５０ａに挿通された状態で、外部に突出する長さを有している。そして、挿通孔５０ａから外部に突出する摘み部６１の長さは、作業者が指で摘める程度の長さに設定されている。また、摘み部６１の先端側の端面には、ドライバーの先端が挿入される溝６１ｂが形成されている。
【００３１】
また、摘み部６１の突出部位に封印紐状部材８の通し孔６１ａが形成されている。一方、端子カバー５には、封印紐状部材８の通しリング５１が形成されている。そして、図３に示すように、締結部材６の摘み部６１の通し孔６１ａと、端子カバー５の通しリング５１とに封印紐状部材８が挿通される。そして、封印紐状部材８の両端部が封印部材９によって挟み込まれることで、締結部材６を緩める操作ができなくなり、端子カバー５が端子台４から容易に取り外すことができなくなる。したがって、端子台４の複数の端子４０，…を保護する上での安全性がより一層確保されることになる。
【００３２】
締結部材６の凸部６２は、図４に示すように、摘み部６１の基端部から所定の間隔Ｈをおいた位置に径外方向に突設されている。そして、凸部６２は、摘み部６１の外周面に沿って円環状に形成されている。なお、前記所定の間隔Ｈとは、摘み部６１の基端部および凸部６２の互いの対向面の間隔であり、図７（ａ）に示すように、締結部材６によって端子カバーを取り付けた際に、凸部６２が、端子カバー５の掛止孔５０ｂの開口周縁部の後方に位置するように設定されている。また、ここでいう、凸部６２とは、円環状だけではなく、端子カバー５の掛止孔５０ｂから抜け出ない大きさを有する円弧状、凸状のものを含むものとする。
【００３３】
締結部材６の引掛部６３は、図４に示すように、摘み部６１および雄ねじ部６０よりも小径に形成されている。そして、上述した摘み部６１の基端部および凸部６２の互いの対向面の間隔Ｈは、端子カバー５の厚さ寸法よりもやや大きく設定されている。すなわち、摘み部６１の基端部側の端面と凸部６２との間隔Ｈ２に端子カバー５の連通孔５０の掛止孔５０ｂが挿入できるようになっている。
【００３４】
また、端子カバー５の裏面５ａには、図６および図７に示すように、絶縁性のシート７が固着されている。そして、図４に示すように、端子カバー５の連通孔５０の挿通孔５０ａに対応するシート７の位置に、十字状の第１切り込み線７０ａ，７０ｂが上下左右方向に切り込まれて第１切り込み部７０が形成されている。また、端子カバー５の連通孔５０の掛止孔５０ｂに対応するシート７の位置に、直線状の第２切り込み線７１ａが上下方向に切り込まれて第２切り込み部７１が形成されている。そして、第２切り込み線７１ａが、十字状の第１切り込み線７０ａ，７０ｂのうち、上下方向の第１切り込み線７０ａに繋がっている。なお、第１切り込み線７０ｂは、左右方向に切り込まれた切り込み線である。
【００３５】
したがって、端子カバー５の裏面５ａに絶縁性のシート７が固着されていたとしても、十字状の第１切り込み線７０ａ，７０ｂによって形成される第１切り込み部７０によって、締結部材６の摘み部６１がシート７を突き破ることができ、締結部材６の摘み部６１に対する端子カバー５の挿通孔５０ａの前後方向の挿脱が容易に行われる。
【００３６】
また、上下方向に切り込まれた第２切り込み部７１の直線状の第２切り込み線７１ａが、第１切り込み部７０の上下方向の第１切り込み線７０ａに繋がっているので、締結部材６の引掛部６３が、第１切り込み部７０の上下方向の第１切り込み線７０ａから第２切り込み部７１の直線状の第２切り込み線７１ａを通って移動できるようになるので、締結部材６の引掛部６３に対する端子カバー５の掛止孔５０ｂの上下方向の掛脱が容易に行われる。
【００３７】
つぎに使用態様について図７（ａ）〜（ｃ）を参照して説明する。まず、端子カバー５を端子台４から取り外す場合、図７（ａ）に示すように、端子カバー５における連通孔５０の掛止孔５０ｂが、締結部材６の引掛部６３に掛止されている。この状態において、締結部材６を緩めるように、摘み部６１を介して操作する。この際、図７（ｂ）の実線に示すように、連通孔５０の掛止孔５０ｂの開口周縁部の裏面に、締結部材６の凸部６２が当接する。そして、締結部材６をさらに緩めると、図７（ｂ）の鎖線に示すように、締結部材６の雄ねじ部６０の移動に伴って、端子カバー５が締結部材６の凸部６２に押されて、端子台４から端子カバー５が引き離される。この状態で、図７（ｃ）に示すように、挿通孔５０ａから締結部材６の摘み部６１が抜けるように、端子カバー５を少し上に持ち上げて、締結部材６の引掛部６３の掛止孔５０ｂを離脱させるとともに、挿通孔５０ａに締結部材６の摘み部６１を位置させて、端子カバー５を手前に引き出す。この場合、端子カバー５を端子台４から取り外すに際して、ドライバーなどの工具を用いていないため、ドライバーなどの工具の先端が端子４０，…に接触することがない。また、工具によって端子カバー５をこじ開けることもないので、端子カバー５が損傷することもない。
【００３８】
つぎに、端子台４に端子カバー５を取り付ける場合、締結部材６の摘み部６１が、端子カバー５における連通孔５０の挿通孔５０ａに対して後側から前側に挿通されるように、端子カバー５を端子台４側に移動させる。そして、連通孔５０の挿通孔５０ａから締結部材６の摘み部６１が突出した位置（締結部材６の凸部６２が端子カバー５の後方に位置した位置）で、端子カバー５を少し下降させて、連通孔５０の掛止孔５０ｂの内周面を、締結部材６の引掛部６３の外周面の上側に掛止させる（図７（ｂ）参照）。その後、締結部材６を締め付けると、締結部材６の凸部６２が端子カバー５から離間して連通孔５０の後方に位置するとともに、締結部材６の摘み部６の基端部側の端面が端子カバー５の表面に当接する（図７（ａ）参照）。そうすることで、端子カバー５が固定される。この場合も、端子カバー５を端子台４に取り付けるに際して、ドライバーなどの工具を用いることなく、簡単に取り付けることができる。
【００３９】
なお、端子カバー５は、端子台４の複数の端子４０，…を覆うように、端子台４に配置されることが前提の条件となっている。また、端子カバー５の挿通孔５０ａに、締結部材６の摘み部６１が挿通された状態から、端子カバー５の掛止孔５０ｂに、締結部材６の引掛部６３が掛止された状態にする際の、端子カバー５の下降距離は、ごくわずかであるため、端子カバー５の挿通孔５０ａに、締結部材６の摘み部６１が挿通された状態、および、端子カバー５の掛止孔５０ｂに、締結部材６の引掛部６３が掛止された状態のいずれにおいても、端子カバー５によって、端子台４の複数の端子４０，…が覆われて保護されるようになっている。したがって、端子カバー５による移動によって、複数の端子４０，…が外部に露出することはなく、安全性は確保されている。
【００４０】
このように、本実施形態に係る端子台の端子カバー取付構造によれば、緩めた端子カバー５の締結部材６による端子４０への接触を防止できることに加えて、工具を用いることなく、端子台４に対する端子カバー５の着脱を容易にかつ安全に行うことができる。
【００４１】
なお、本発明に係る端子台の端子カバー取付構造は、前記実施の形態に限定することなく種々変更することができる。
【００４２】
例えば、前記実施形態の場合、単相３線式の電力量計および三相３線式の電力量計の場合を例にとって説明したが、本発明は、単相２線式の電力量計の場合にも適用できる。この場合、図８に示すように、端子カバー５の連通孔５０は、端子カバー５の中央部に一つ形成される。したがって、本発明は、電力量計１の種類によって端子台４の幅寸法の異なる場合であっても、端子カバー５を容易に着脱できる。すなわち、本発明の端子台の端子カバーの取付構造は、電力量計に好適である。
【符号の説明】
【００４３】
１…電力量計、２…筺体、３…電力量計本体、４…端子台、４０…端子、４１…ねじ孔、５…端子カバー、５０…連通孔、５０ａ…挿通孔，５０ｂ…掛止孔、５１…通しリング、６…締結部材、６０…雄ねじ部、６１…摘み部、６１ａ…通し孔、６１ｂ，６１ｂ…溝、６２…凸部、６３…引掛部、７…絶縁性のシート、７０…第１切り込み部、７０ａ，７０ｂ…第１切り込み線、７１…第２切り込み部、７１ａ…第２切り込み線、８…封印紐状部材、９…封印部
【要約】      （修正有）【課題】端子台に対する端子カバーの着脱を容易にかつ安全に行うことができる端子台の端子カバー取付構造を提供する。【解決手段】複数の端子が並列して配置される端子台４と、複数の端子を覆うように端子台４に配置される端子カバー５と、端子台４に端子カバー５を締結して固定する締結部材６とを備えた端子台４の端子カバー５の取付構造において、締結部材６は、基端部側に形成され、端子台４に螺合する雄ねじ部と、先端部に形成される、雄ねじ部よりも大径の摘み部と、摘み部の基端部から所定の間隔をおいた位置に径外方向に突設される、摘み部よりも大径の凸部と、摘み部および凸部の間に形成される、摘み部よりも小径の引掛部とで構成され、端子カバー５は、摘み部が後側から前側に向かって挿通される挿通孔と、挿通孔の上側に連設するように、上側の円弧状部を切り欠いて形成され、引掛部に上側から掛止する掛止孔とで構成される連通孔５０とを備える。【選択図】図６【図１】
0005519041.tif 000002
【図２】
0005519041.tif 000003
【図３】
0005519041.tif 000004
【図４】
0005519041.tif 000005
【図５】
0005519041.tif 000006
【図６】
0005519041.tif 000007
【図７】
0005519041.tif 000008
【図８】
0005519041.tif 000009